(57)【要約】【課題】  光学フィルタを備えたレンズ鏡胴を安価に提供する。【解決手段】  少なくとも２つのレンズ２６、５４を保持し、前記レンズ間に絞り４０を備え、カメラ本体に装着可能なレンズ鏡胴１０であって、波長に応じて光を遮断又は透過する少なくとも１つの光学フィルタ９５を、前記少なくとも２つのレンズ２６、５４のうち、カメラ本体側に位置するレンズ５４より後方に備えたレンズ鏡胴１０を提供することにより、前記課題を解決する。【選択図】  図１
2005326777.tif 000002
【特許請求の範囲】
【請求項１】
少なくとも２つのレンズを保持し、前記レンズ間に絞りを備え、カメラ本体に装着可能なレンズ鏡胴であって、
波長に応じて光を遮断又は透過する少なくとも１つの光学フィルタを、前記少なくとも２つのレンズのうち、カメラ本体側に位置するレンズより後方に備えたことを特徴とするレンズ鏡胴。
【請求項２】
請求項１に記載のレンズ鏡胴であって、さらに、
前記少なくとも１つの光学フィルタを光軸上に挿脱するフィルタ切替手段を備えたことを特徴とするレンズ鏡胴。
【請求項３】
前記少なくとも１つの光学フィルタは、近赤外光域を遮断することを特徴とする請求項１又は請求項２に記載のレンズ鏡胴。
【請求項４】
前記少なくとも１つの光学フィルタは、近赤外光域を遮断する第１の光学フィルタと、近赤外光域を透過する第２の光学フィルタであることを特徴とする請求項１又は請求項２に記載のレンズ鏡胴。
【請求項５】
請求項１乃至請求項４のいずれか１項に記載のレンズ鏡胴であって、
前記レンズ鏡胴は、前記少なくとも２つのレンズを保持する第１の固定筒と、前記第１の固定筒より後方に配置され、撮像素子を保持する第２の固定筒と、から構成され、
前記少なくとも１つの光学フィルタを、前記第２の固定筒に備えたことを特徴とするレンズ鏡胴。
【発明の詳細な説明】
【技術分野】
【０００１】
本発明はレンズ鏡胴に係り、特に監視カメラ等に使用されるレンズ鏡胴に関する。
【背景技術】
【０００２】
可視光域（昼間）と近赤外光域（夜間）の両方の波長域で使用される監視カメラには、可視光域で使用する場合には、撮像素子（ＣＣＤ）の光軸前方に近赤外光をカットする赤外線カットフィルタを配置して撮影を行い、一方近赤外光域で使用する場合には、赤外線カットフィルタの代わりにダミーのフィルタを配置して撮影を行うことによって、軸上色収差の影響による結像位置のズレを補正する方式がある。
【０００３】
従来、上記のような赤外線カットフィルタのための機構（以下、赤外線カットフィルタ機構という）は、撮像素子と共にカメラ本体に備えられていた。ところが、近年販売されているカメラ本体とレンズ鏡胴が一体化した監視カメラは、カメラ本体自体の小型化等により、赤外線カットフィルタ機構をカメラ本体に設けることが困難となってきている。
【０００４】
そこで赤外線カットフィルタ機構をレンズ鏡胴に備える技術が提案されている（例えば、参考文献１参照）。同文献によれば、赤外線カットフィルタ機構は絞り機構と一体化され、レンズ鏡胴に配置されている。
【０００５】
図３は、赤外線カットフィルタ機構と一体化した絞り機構を備えたレンズ鏡胴を装着した監視カメラの構成を示す概略図である。同図に示すように、監視カメラ２００は、カメラ本体２０２と、レンズ鏡胴２０４と、から構成される。レンズ鏡胴２０４は、第１のレンズ（群）２１２を固定する前部固定筒２０６と、第２のレンズ（群）２１４を固定する後部固定筒２０８と、ＣＣＤ２１６を固定するＣＣＤ固定筒２１０と、から構成される。前部固定筒２０６と後部固定筒２０８との間には、赤外線カットフィルタ機構と一体化した絞り機構２１８が配置される。
【０００６】
絞り機構２１８には、２枚の絞り羽根から構成される絞り２２０と、赤外線カットフィルタ等の光学フィルタを固定するフィルタ固定板２２２とが、基板２２４の表面及び裏面に沿わせて配置されている。また絞り機構２１８には、絞り２２０の開口の大きさを調整する絞り駆動手段２２６と、光学フィルタを光軸上に抜き差しするためのフィルタ駆動手段２２８とが、レンズ鏡胴２０４の外周に設けられている。
【特許文献１】特開２００２−１８９２３８号公報
【発明の開示】
【発明が解決しようとする課題】
【０００７】
しかしながら、図３に示すように、第１のレンズ２１２と、第２のレンズ２１４との間に赤外線カットフィルタ機構と一体化した絞り機構を配置すると、一般のレンズ鏡胴に比べてレンズ間を広く専用設計しなければならない。またレンズ鏡胴２０４の外周に絞り駆動手段２２６とフィルタ駆動手段２２８がそれぞれ設けられるため、レンズ鏡胴２０４の外周の構成部品等も新たに設計することが必要となる。従って、一般のレンズ鏡胴の多くの構成部品と非共通となり、レンズ鏡胴の製造コストが高くなるという問題点がある。
【０００８】
また絞り機構と赤外線カットフィルタ機構とは一体化されているため、いずれか一方の構成部品が故障した場合にはこれら全てを取り外し、故障要因の調査や修理を行わなければならない。
【０００９】
そこで本発明は、このような事情に鑑みてなされたもので、赤外線カットフィルタ等の光学フィルタを備えたレンズ鏡胴を安価に提供することを目的とする。
【課題を解決するための手段】
【００１０】
前記目的を達成するために、請求項１に記載の発明は、少なくとも２つのレンズを保持し、前記レンズ間に絞りを備え、カメラ本体に装着可能なレンズ鏡胴であって、波長に応じて光を遮断又は透過する少なくとも１つの光学フィルタを、前記少なくとも２つのレンズのうち、カメラ本体側に位置するレンズより後方に備えたレンズ鏡胴を提供する。
【００１１】
本発明によれば、光学フィルタは、レンズ間に備えられる絞りとは別に、カメラ本体側に位置するレンズより後方に設けられる。従って光学フィルタをレンズ鏡胴に備えることに伴うレンズ間の再設計は不要になるため、一般のレンズ鏡胴の多くの部品と共通化でき、レンズ鏡胴を安価に製造できる。
【００１２】
また光学フィルタは、絞りとは別に設けられるため、いずれか一方を備えた機構の構成部品が故障した場合には、その機構のみを取り外し、故障要因の調査や修理を行えばよいので、メンテナンス性が向上する。
【００１３】
請求項２に記載の発明は、請求項１に記載のレンズ鏡胴であって、さらに、前記少なくとも１つの光学フィルタを光軸上に挿脱するフィルタ切替手段を備えたことを特徴とする。
【００１４】
請求項２の態様によれば、請求項１の態様の効果を奏すると共に、撮影する状況に応じて、光学フィルタを容易に挿脱することができる。
【００１５】
請求項３に記載の発明は、請求項１又は請求項２に記載のレンズ鏡胴であって、前記少なくとも１つの光学フィルタは、近赤外光域を遮断することを特徴とする。
【００１６】
請求項３の態様によれば、請求項１又は請求項２の態様の効果を奏すると共に、可視光域で撮影する場合に、近赤外光域を遮断することができる。
【００１７】
請求項４に記載の発明は、請求項１又は請求項２に記載のレンズ鏡胴であって、近赤外光域を遮断する第１の光学フィルタと、近赤外光域を透過する第２の光学フィルタであることを特徴とする。
【００１８】
請求項４の態様によれば、請求項１又は請求項２の態様の効果を奏すると共に、可視光域と近赤外域の両方の波長域で撮影時に、軸上色収差の影響による結像位置のズレを補正することができる。
【００１９】
請求項５に記載の発明は、請求項１乃至請求項４のいずれか１項に記載のレンズ鏡胴であって、前記レンズ鏡胴は、前記少なくとも２つのレンズを保持する第１の固定筒と、前記第１の固定筒より後方に配置され、撮像素子を保持する第２の固定筒と、から構成され、前記少なくとも１つの光学フィルタを、前記第２の固定筒に備えたことを特徴とする。
【００２０】
請求項５の態様によれば、第１の固定筒の再設計は不要となるため、一般のレンズ鏡胴の多くの部品と共通化でき、レンズ鏡胴を安価に製造できる。
【発明の効果】
【００２１】
本発明に係るレンズ鏡胴によれば、光学フィルタを、レンズ間に備えられる絞りとは別に、カメラ本体側のレンズより後方に設けたことにより、レンズ間の再設計は不要になる。そのため一般のレンズ鏡胴の多くの部品と共通化でき、レンズ鏡胴を安価に製造できる。
【発明を実施するための最良の形態】
【００２２】
以下添付図面に従って本発明に係るレンズ鏡胴の好ましい実施の形態について詳説する。
【００２３】
図１は本発明の実施形態に係る監視用カメラのレンズ鏡胴の構成を示した側面断面図である。同図に示すレンズ鏡胴１０は、前部固定筒１２、後部固定筒１４及びＣＣＤ固定筒１６を備える。
【００２４】
前部固定筒１２と後部固定筒１４は、絞り機構４０を挟んで、前部固定筒１２の光軸Ｐ後方の内周部と後部固定筒１４の光軸Ｐ前方の外周部と接着接合されている。
【００２５】
後部固定筒１４とＣＣＤ固定筒１６は、バヨネット結合されている。すなわち、後部固定筒１４の後端部に設けられるオスのバヨネットマウント環１８は、その外周から径方向外側に突出しかつ周方向に間欠的に延在するバヨネット爪と、このバヨネット爪によって一方の溝壁が構成されるバヨネット係合溝とを有する。他方ＣＣＤ固定筒１６の前端部に取り付けられるメスのバヨネットマウント環２０は、その内周面から径方向内側に突設されたバヨネット突起を有する。オスのバヨネットマウント環１８のバヨネット爪の間に間欠的に形成された挿入空間から挿入された後に相対回転され、オスのバヨネットマウント環１８のバヨネット係合溝にメスのバヨネットマウント環２０のバヨネット突起が挿入し係合されることによって、後部固定筒１４とＣＣＤ固定筒１６とが結合される。
【００２６】
ＣＣＤ固定筒１６の後端部には複数のネジ穴２２が形成されており、不図示のネジによって不図示の監視カメラ本体と締結される。
【００２７】
前部固定筒１２内には、レンズ枠２４に保持されたフォーカスレンズ（群）２６が配置される。レンズ枠２４には周面より突出した係合部２７が形成され、一方、前部固定筒１２の直進溝２８に係合することによってレンズ枠２４及びフォーカスレンズ２６が直進溝２８にガイドされて光軸Ｐ方向に直進移動するようになっている。
【００２８】
前部固定筒１２の外周面にはフォーカスリング３０が回動自在に配置されており、このフォーカスリング３０の内周面にカム溝３２が形成されている。前記レンズ枠２４の係合部２７先端にカムピン３４が突設されており、このカムピン３４がフォーカスリング３０のカム溝３２と前部固定筒１２の直進溝２８との交差位置が光軸Ｐ方向に変位すると共に、その交差位置に従ってレンズ枠２４及びフォーカレンズ２６が光軸Ｐ方向に変位する。このようにフォーカスリング３０を回動操作することによってフォーカスレンズ２６の設定位置を調整してピント調整を行うことができる。なお、係合部２７は、レンズ枠２４の周囲に等間隔で３箇所形成され、これに合わせて前部固定筒１２の直進溝２８及びフォーカスリング３０のカム溝３２もそれぞれ３本形成されている。
【００２９】
フォーカスリング３０の外周には、ツマミ固定部材３６が取り付けられている。ツマミ固定部材３６には、外周面から内周面まで貫通するネジ孔３７が形成されており、このネジ孔３７にツマミ３８のネジ部３９がねじ込まれてツマミ固定部材３６に取り付けられる。ネジ部３９の先端をフォーカスリング３０の外周面に接触するようにねじ込むと、操作者はこのツマミ３８を使用してフォーカスリング３０を回動操作することができる。一方、ツマミ３８のネジ部３９をさらにねじ込んでネジ部３９の先端をフォーカスリング３０の外周面にさらに押し当てることによって、フォーカスリング３０を所望のピント調整位置で固定しておくことができる。
【００３０】
前部固定筒１２と後部固定筒１４との間に配置される絞り機構４０は、２枚の絞り羽根４２、４４と、絞り羽根４２、４４を光軸Ｐ後方で保持すると共に絞り機構４０をレンズ鏡胴１０（前部固定筒１２、後部固定筒１４及びＣＣＤ固定筒１６）に装着保持するための保持枠４６と、絞り羽４２、４４を光軸Ｐ前方から押さえる押え板４８等の部材により構成される。絞り機構４０は、不図示のネジにより、前部固定筒１２と後部固定筒１４に固定される。
【００３１】
絞り機構４０の保持枠４６の図１中下方には、絞り羽根４２、４４を開閉動作させるための駆動機構を装着保持する保持部５０が一体形成されており、この保持部５０に電動用駆動機が装着されるようになっている。電動用駆動機は、絞り羽根４２、４４を電動（アイリスメータ）により開閉動作させるための駆動機構である。なお駆動機構は、手動で絞り羽根４２、４４を開閉動作させるものであってもよい。
【００３２】
後部固定筒１４内には、レンズ枠５２に保持されたズームレンズ（群）５４が配置される。レンズ枠５２には周面より突出した係合部５６が形成され、一方、後部固定筒１４には光軸Ｐ方向に直進溝５８が形成されており、レンズ枠５２の係合部５６が後部固定筒１４の直進溝５８に係合することによってレンズ枠５２及びズームレンズ５４が、直進溝５８にガイドされて光軸Ｐ方向に直進移動するようになっている。
【００３３】
後部固定筒１４の外周面にはズームリング６０が回動可能に配置されており、このズームリング６０の内周面にはカム溝６２が形成されている。なお、ズームリング６０の後端面にはオスのバヨネットマウント環１８が設けられており、前述したように、ＣＣＤ固定筒１６の前端部に設けられるメスのバヨネットマウント環２０との係合により、後部固定筒１４とＣＣＤ固定筒１６とが結合されている。
【００３４】
レンズ枠５２の係合部３４先端には、カムピン６３が突設されており、このカムピン６３がズームリング６０のカム溝６２に係合する。従って、ズームリング６０のカム溝６２と後部固定筒１４の直進溝５８との交差位置が光軸Ｐ方向に変位すると共に、その交差位置に従ってレンズ枠５２及びズームレンズ５４が光軸Ｐ方向に変位する。このようにズームリング６０を回動操作することによってズームレンズ５４の設定位置を調整して焦点距離（ズーム画角）を調整することができる。なお、係合部５６は、レンズ枠５２の周囲に等間隔で３箇所形成され、これに合わせて後部固定筒１４の直進溝５８及びズームリング６０のカム溝６２もそれぞれ３本形成されている。
【００３５】
ズームリング６０の外周には、ツマミ固定部材６４が取り付けられている。ツマミ固定部材６４には、外周面から内周面まで貫通するネジ孔６５が形成されており、このネジ孔６５にツマミ６６のネジ部６７がねじ込まれてツマミ固定部材６４に取り付けられる。ネジ部６７の先端をズームリング６０の外周面に接触するようにねじ込むと、操作者はこのツマミ６６を使用してズームリング６０を回動操作することができる。一方、ツマミ６６のネジ部６７をさらにねじ込んでネジ部６７の先端をズームリング６０の外周面にさらに押し当てることによって、ズームリング６０を所望の焦点距離調整位置で固定しておくことができる。
【００３６】
ＣＣＤ固定筒１６には、光軸Ｐの前方から後方にかけて、フィルタ機構７０、補正ガラス７２、クッション材７４、ＣＣＤ７６が配置される。
【００３７】
補正ガラス７２は、ＣＣＤ固定筒１６の内周面の保持部７８及びクッション材７４によって固定される。補正ガラス７２は、所望の画像効果を得るために、ズームレンズ５４からＣＣＤ７６に投影される光に対して一定波長の光のカット等の補正を行う。なお補正ガラスの材質、厚さ等は、ＣＣＤ７６の機能、性能や所望の画像効果等に応じて任意に設計される。
【００３８】
クッション材７４は、補正ガラス７２を固定すると共に、結像面（像焦点）８０がＣＣＤ７６の受光面（以下、撮像面という）８２と一致するようにスペーサとして機能する。
【００３９】
ＣＣＤ７６は、ＣＣＤ基板８４の光軸Ｐ前方の側面中央部に取り付けられる。ＣＣＤ７６は、撮像面６０に結像された光学像を電気信号に変換する。この電気信号は、ＣＣＤ基板８４に接続される不図示のケーブルを介して、監視カメラ本体に送られる。
【００４０】
ズームレンズ１４の光軸Ｐ後方に設けられるフィルタ機構７０は、ＣＣＤ固定筒１６を貫通するように構成され、不図示のネジによりＣＣＤ固定筒１６に固定される。
【００４１】
フィルタ機構７０は、赤外線を遮断する赤外線カットフィルタ９５と赤外線を透過するクリアフィルタ９７が取り付けられるフィルタ固定板８６と、フィルタ固定板８６を保持すると共にフィルタ機構７０をレンズ鏡胴１０（前部固定筒１２、後部固定筒１４及びＣＣＤ固定筒１６）に装着保持するための保持枠８８と、フィルタ固定板８６を上下に動作させ、光軸Ｐ上のフィルタを入れ替える電動用駆動機を装着保持する保持部９０と、を備える。
【００４２】
なお本発明は、本実施形態のように電動用駆動機を利用して光軸Ｐ上のフィルタを入れ替えるフィルタ機構７０に限定されるものでない。例えば、不図示の操作部材により手動でフィルタ固定板８６を上下に動作させるものであってもよい。
【００４３】
図２は、図１に示したフィルタ機構７０の正面図である。図２（ａ）は、赤外線カットフィルタ９５が光軸Ｐ上に設けられた状態を表し、図２（ｂ）は、クリアフィルタ９７が光軸Ｐ上に設けられた状態を表す。
【００４４】
図２（ａ）に示すように、フィルタ固定板８６は略長方形の薄い金属板であり、その一端部には、長手方向に延設されるアーム部９２が形成されている。そしてアーム部９２の先端には、連結孔９８が形成されている。
【００４５】
またフィルタ固定板８６には、略正方形の開口部９４、９６が長手方向に並んで形成されている。開口部９４は赤外線カットフィルタ９５により覆われ、開口部９６はクリアフィルタ９７により覆われている。赤外線カットフィルタ９５及びクリアフィルタ９７は、それぞれ開口部９４、９６より大きく形成されており、その外周部が接着剤等によりフィルタ固定板８６に固定されている。
【００４６】
クリアフィルタ９７は、赤外線カットフィルタ９５を光軸Ｐ上から外した場合の結像位置のズレを補正する。従ってクリアフィルタ９７は、赤外線カットフィルタ９５を光軸Ｐ上に設けた場合の結像位置と、クリアフィルタ９７を光軸Ｐ上に設けた場合の結像位置が一致するように、その厚さや材質等が設計される。
【００４７】
保持枠８８には、フィルタ機構７０をＣＣＤ固定筒１６に固定するための２つの突起部１００が、短手方向両端部に設けられている。突起部１００の中央部には、ネジを通すための孔部１０２が形成されている。孔部１０２とＣＣＤ固定筒１６に形成される不図示の孔部を重ね、不図示のネジをねじ込むことにより、フィルタ機構７０がＣＣＤ固定筒１６に固定される。
【００４８】
保持枠８８の略中央部には、入射光を通すための円形の開口部１０４が形成されている。フィルタ機構７０がＣＣＤ固定筒１６に固定された場合に、開口部１０４の中心部と光軸Ｐが一致するように構成される。
【００４９】
保持枠８８の表面には、フィルタ固定板８６が積層配置される。フィルタ固定板８６は、保持枠８８の周辺部から内面方向に向かって形成される不図示の突起部等により、保持枠８８から離れないように構成されると共に、フィルタ固定板８６がその長手方向に沿って摺動可能に構成される。
【００５０】
保持枠８８の下方には、略円状の連結部１０６が形成されている。連結部１０６は、保持部９０に装着される電動用駆動機（不図示）の回転軸１０８と、回転軸１０８に取り付けられる回転アーム１１０と、回転アーム１１０の一端とアーム部９２の連結孔９８とを連結する連結部材１１２と、から構成される。
【００５１】
電動用駆動機の駆動により、回転軸１０８が回動し、回転アーム１１０が所要角度範囲で回転軸１０８を中心に回動する。回転アーム１１０の回動により、その一端の連結部材１１２は連結部１０６の周方向に沿って移動するので、連結部材１１２により連結されているアーム部９２を有するフィルタ固定板８６は長手方向に沿ってスライドする。
【００５２】
回転アーム１１０が、図２（ａ）に示すような一方の回転限界点の状態のときは、赤外線カットフィルタ９５が開口部１０４に位置するように構成される。一方、回転アーム１１０が、図２（ｂ）に示すような他方の回転限界点の状態のときは、クリアフィルタ９７が開口部１０４に位置するように構成される。
【００５３】
かかる構成において、レンズ鏡胴１０を装着した監視カメラを可視光域で使用する場合には、電動用駆動機を駆動させ、光軸Ｐ上に赤外線カットフィルタ９５を配置させる。一方、赤外光域で使用する場合には、電動用駆動機を駆動させ、光軸Ｐ上にクリアフィルタ９７を配置させる。前述のとおり、赤外線カットフィルタ９５とクリアフィルタ９７をそれぞれ配置した場合の結像位置は一致するように構成されているので、可視光域での撮影時と赤外光域での撮影時とのピント位置のズレがなくなる。従って、可視光域での撮影と赤外光域での撮影を切替えるたびにピント合わせを行うことが不要となる。
【００５４】
このようにフィルタ機構７０の赤外線カットフィルタ９５及びクリアフィルタ９７は、第２の固定筒１４より光軸Ｐ後方のＣＣＤ固定筒１６に配置されるので、第１の固定筒１２に保持されるフォーカスレンズ２６と第２の固定筒１４に保持されるズームレンズ５４との間の距離に影響を及ぼさない。またフィルタ機構７０の保持部９０はＣＣＤ固定筒１６の外周に形成されるが、第１の固定筒１２や第２の固定筒１４の外周の構成部品には影響を及ぼさない。従って、本発明に係るレンズ鏡胴は一般のレンズ鏡胴の多くの部品と共通化できるので、レンズ鏡胴を安価に製造できる。
【００５５】
またフィルタ機構７０は、絞り機構４０とは別に設けられるため、いずれか一方の機構の構成部品が故障した場合には、その機構のみを取り外し、故障要因の調査や修理を行えばよいので、メンテナンス性が向上する。
【００５６】
以上、本発明のレンズ鏡胴について詳細に説明したが、本発明は、以上の例には限定されず、本発明の要旨を逸脱しない範囲において、各種の改良や変形を行ってよいのはもちろんである。
【図面の簡単な説明】
【００５７】
【図１】本発明に係るレンズ鏡胴の側面断面図である。
【図２】図１に示したレンズ鏡胴のフィルタ機構の正面図である。
【図３】赤外線カットフィルタ機構と一体化した絞り機構を備えたレンズ鏡胴を装着した監視カメラの概略図である。
【符号の説明】
【００５８】
１０…レンズ鏡胴、１２…前部固定筒、１４…後部固定筒、１６…ＣＣＤ固定筒、２６…フォーカスレンズ、４０…絞り機構、５４…ズームレンズ、７０…フィルタ機構、７６…ＣＣＤ、９５…赤外線カットフィルタ、９７…クリアフィルタ
【図１】
2005326777.tif 000003
【図２】
2005326777.tif 000004
【図３】
2005326777.tif 000005